(57)【要約】      （修正有）【課題】ツボ押しのヘッドを工夫して自分の肩凝りの位置に移動を可能にするアンマ器を提供する。【解決手段】はてなマーク型アーム１にツボ押さえ本体のヘッド７，８，９を好みの位置に移動可能にするものである、又小型握りアンマ器具も片手で持って凝ったところを容易に指圧する様にツボを押し凝りをほぐすものである、何処でも持ち運び可能で、場所を選ばず使えることを特徴とする。【選択図】図１
0003154013.tif 000002
【実用新案登録請求の範囲】
【請求項１】
ツボ押し（７）（８）（９）をそれぞれ自分の肩凝りのポイントに移動を可能にした移動型ツボ押しアンマ器。
【請求項２】
ツボ押し本体（４）（５）（６）をはてなマーク型アーム（１）に固定する為にツボ押し本体（４）（５）（６）をスライドさせる為とツボ押し本体（４）（５）（６）が回らない様にはてなマーク型アーム（１）の上部をカット（１３）を加工、これを特徴とした移動型ツボ押しアンマ器。
【請求項３】
ツボ押し本体（４）（５）（６）のヘッド（７）（８）（９）の形状がやや先尖りで円錐形を成した移動型ツボ押しアンマ器。
【請求項４】
ツボ押し本体（４）（５）を小型握りアンマ器具に設定した移動型ツボ押しアンマ器。
【考案の詳細な説明】
【技術分野】
【０００１】  本考案は、移動型ツボ押しで構成される移動型ツボ押しアンマ器に関する。
【背景技術】
【０００２】  従来からのマッサージの多くは電動式（バイブレーター）、トントン叩く方式がもっとも多いようである、又殆どは１点押しである、又肌に当たるヘッド部分が大きいものが多かった。
【考案の開示】
【考案が解決しようとする課題】
【０００３】  従来の電動式は故障が付き物であり、素人では故障の修理は困難であった、又１点押しも電動式であるためにヘッド部分を大きくして肩凝り等のツボをより早くほぐそうしているものである、これらをより完璧なものを提供するものである。
【課題を解決するための手段】
【０００４】  本考案はあくまでも手動式にて提供するものである、図１のはてなマーク型アーム（１）にしたものを特徴とし、はてなマーク型アーム（１）の先端からツボ押し（４）（５）（６）と３個をそれぞれ好みのツボ位置に配置セットする。【０００５】  ツボ押し（４）（５）（６）のヘッド（７）（８）（９）の形状は従来のアンマ器のヘッドは比較的大きい本考案のヘッドは小さ目でありヘッドの形状も半円でない工夫されたものである。
【考案を実施の形態】
【０００６】  ツボ押し（４）の図２、図３は拡大した図である、ヘッド（７）の大きさは大人の親指の先ほどにし、又ヘッド（７）は完全な球面でないのが特徴である、やや先尖りで円錐形を成している、このために肩凝りなどのツボに食い込むような働きがあり、よりツボを刺激効果が出ると言うものである。
【０００７】  ツボ押し本体（４）（５）（６）をはてなマーク型アーム（１）にセットする、セットする位置の基本は実施例図６のような位置にする、しかし人の体型によって違うので又肩凝りのツボが多少違いがあるのでこれは個人の好みにツボ押し本体（４）（５）（６）を移動しセット可能にしている。
【０００８】  移動型ツボ押しアンマ器の使用実施、肩凝りの場合、はてなマーク型アーム（１）を肩に掛けみぎりハンドル（３）を持って下方向に強く引く、引くことを繰り返しする、この動作でツボ押し本体（５）（６）が肩凝りをほぐしてくれるものである。
【０００９】  又肩甲骨の辺りのアンマする場合はてなマーク型アーム（１）のハンドル（３）を下方向に引きながらハンドル（３）を前方に押す事を繰り返し動作する、てこの応用も伴って凝りをほぐします。
【００１０】  図の説明、図２はツボ押し本体（４）の横断面図である、図（３）は正面断面図である、ツボ押し本体図２、３のそれぞれ（７）はヘッドである、ツボ押し本体（４）図２、図３の（１）ははてなマーク型アーム（１）を通す為の貫通穴である、図４のははてなマーク型アーム（１）の先端部の拡大側面図である、はてなマーク型アーム（１）の先端部の（１３）はツボ押し本体（４）（５）（６）を固定しかつ回転しないようにカットした部分である、図５ははてなマーク型アーム（１）の先端部分の断面図である。
【００１１】  図７は小型握りアンマ器の実施例である、ツボ押し本体（４）（５）を小型握りアンマ器に施しセットし握り手（１４）をしっかりと握り、体の凝っているツボを押して凝りをほぐすものである、移動型ツボ押しアンマ器で出来ないような所をアンマする事を可能にするものである。
【考案の効果】
【００１２】  従来市販されています電動式アンマ器はヘッドが大きい為にツボをほぐす力がよわい、又故障した場合は自分では修理が不可能であった、しかし本考案のヘッド（７）（８）（９）は人の親指の先ほどである為に、人の手で指圧する様で肌には優しくて凝っている所に刺激も大きいので効果があると言うものです。
【００１３】  又図７の小型握りアンマ器具にツボ押し本体（４）（５）を取り付けた図７の小型握りアンマ器具は移動型ツボ押しアンマ器でも使えない、届かない所のツボを刺激することが可能であり効果も大きい
【００１４】  図７の小型握りアンマ器具は小型である為に持ち運びが容易である、場所を問わずいつでもアンマをする事が出来ると言うメリットがある。
【図面の簡単な説明】
【００１５】
【図１】    本考案の移動型ツボ押しアンマ器の側面図である
【図２】    ツボ押さえ側面図である
【図３】    ツボ押さえ正面側面図である
【図４】    はてなマーク型アームの先端部分の側面図である
【図５】    はてなマーク型アームの断面図である
【図６】    本考案の移動型ツボ押しアンマ器の実施例側面図である
【図７】    小型握りアンマ器具の側面図である
【図８】    小型握りアンマ器具の正面図である
【符号の説明】
【００１６】１          はてなマーク型アーム
２          握り固定カラ
３          握りハンドル
４          ツボ押さえ本体
５          ツボ押さえ本体
６          ツボ押さえ本体
７          ツボ押さえ本体（４）のヘッド
８          ツボ押さえ本体（５）のヘッド
９          ツボ押さえ本体（６）のヘッド
１０        ツボ押さえ本体を固定する押しネジ
１１        ツボ押さえ本体を固定する押しネジ
１２        ツボ押さえ本体を固定する押しネジ
１８        はてなマーク型アームのカット部分
１４        小型アンマ器具握り
１５        小型アンマ器具アーム
【図１】
0003154013.tif 000003
【図２】
0003154013.tif 000004
【図３】
0003154013.tif 000005
【図４】
0003154013.tif 000006
【図５】
0003154013.tif 000007
【図６】
0003154013.tif 000008
【図７】
0003154013.tif 000009
【図８】
0003154013.tif 000010
【手続補正書】
【提出日】平成20年9月25日(2008.9.25)
【手続補正１】
【補正対象書類名】明細書
【補正対象項目名】０００４
【補正方法】変更
【補正の内容】
【０００４】  本考案は手動式にて提供するものである、移動型ツボ押しアンマ器、図１のはてなマーク（１）に示すツボ押し（４）（５）（６）をそれぞれの位置に固定した物を特徴とする、はてなマーク型アーム（１）の先端部分からツボ押し（４）（５）（６）を肩凝りのツボに配置セットを簡単に可能にした物である。
【手続補正２】
【補正対象書類名】明細書
【補正対象項目名】００５
【補正方法】変更
【補正の内容】
【０００５】  ツボ押し（４）（５）（６）ヘッドの先端（７）（８）（９）の形状は従来のアンマ器のヘッドに比べて本考案のヘッドは比較的小さめでる、ヘッドの形状の半円でない工夫された物である。
【手続補正３】
【補正対象書類名】明細書
【補正対象項目名】００１１
【補正方法】変更
【補正の内容】
【０００１１】  図７は小型握りアンマ器の実施例である、移動型アンマ器のはてなマークにセットしてあるツボ押し本体（４）（５）を別の小型握りアンマ器に施しセットして、握り手（１４）をしっかりと握り、体の凝っているツボを押して凝りをほぐすものである、移動型ツボ押しアンマ器で出来ないような体の凝り所をアンマする事を可能にするものである。
【手続補正４】
【補正対象書類名】実用新案登録請求の範囲
【補正対象項目名】全文
【補正方法】変更
【補正の内容】
【実用新案登録請求の範囲】
【請求項１】
はてなマーク型アーム（１）にツボ押し本体（４）（５）（６）３個をそれぞれ自分の肩凝りのツボに容易に移動を可能にした移動型ツボ押しアンマ器。
【請求項２】
ツボ押し本体（４）（５）（６）をはてなマーク型アーム（１）に固定する為にツボ押し本体（４）（５）（６）をスライドさせる為とツボ押し本体（４）（５）（６）が回らない様にはてなマーク型アーム（１）の上部をカット（１３）を加工、これを特徴とした移動型ツボ押しアンマ器。
【請求項３】
ツボ押し本体（４）（５）のヘッド（７）（８）（９）の  形状がやや先尖りで円錐形を成した移動型ツボ押しアンマ器。
【請求項４】
ツボ押し本体（４）（５）を別の小型握りアンマ器具アーム（１５）に設定固定し使用可能にすることを特徴とした小型アンマ器。
【手続補正書】
【提出日】平成21年1月14日(2009.1.14)
【手続補正１】
【補正対象書類名】実用新案登録請求の範囲
【補正対象項目名】全文
【補正方法】変更
【補正の内容】
【実用新案登録請求の範囲】
【請求項１】
はてなマーク型アーム（１）にツボ押し本体（４）（５）（６）を押道して、それぞれ自分の肩凝りのツボに容易に移動を可能にした移動型ツボ押しアンマ器。
【請求項２】
請求項１による  ツボ押し本体（４）（５）（６）をはてなマーク型アーム（１）に固定及び移動させる為とツボ押し本体（４）（５）（６）が回らない様にはてなマーク型アーム（１）の上部分に非円形断面部（１３）設けたことを特徴とした移動型ツボ押しアンマ器。
【請求項３】
ツボ押し本体（４）（５）（６）のヘッド（７）（８）（９）の形状がやや先尖りで円錐形を特徴する、請求項１に記載の移動型ツボ押しアンマ器。
【請求項４】
請求項１によるツボ押し本体（４）（５）２個を別の小型握りアンマ器具アーム（１５）に設定固定し使用可能にすることを特徴とした移動型ツボ押しアンマ器。
【手続補正書】
【提出日】平成21年5月12日(2009.5.12)
【手続補正２】
【補正対象書類名】実用新案登録請求の範囲
【補正対象項目名】全文
【補正方法】変更
【補正の内容】
【実用新案登録請求の範囲】
【請求項１】
はてなマーク型アーム（１）にツボ押し本体（４）（５）（６）の３ヶ所を、それぞれ自分の肩凝りのツボに容易に移動を可能にした移動型ツボ押しアンマ器。
【請求項２】
請求項１による  はてなマーク型アーム（１）のツボ押し本体（４）（５）（６）を固定及び移動させる部分の断面を非円形としたことを特徴とした移動型ツボ押しアンマ器。
【請求項３】
ツボ押し本体（４）（５）（６）のヘッド（７）（８）（９）の形状がやや先尖りで円錐形を特徴する、請求項１に記載の移動型ツボ押しアンマ器。
【請求項４】
請求項１によるツボ押し本体（４）（５）２個を別の小型握りアンマ器具アーム（１５）に設け  これを固定して使用可能にすることを特徴とした移動型ツボ押しアンマ器。